Podtech/llm-jp-corpus-v4-ja_patent huggingface dataset:
(57)【要約】      （修正有）【課題】自転車の車輪が回転した時、スポークが色鮮やかになり、又、夜間でも車輪が良く見え、自転車の交通事故が多い現在に於いても、自転車の存在が良く判り、交通事故も未然に防止できる自転車装飾スポークを提供する。【解決手段】自転車のスポーク全数、又はカラー塗装や、カラー樹脂の取付、カラーテープの取付、カラーチューブの取付、及び、カラー板の取付を行い、２色以上の色分け加工スポークを特徴とする。自転車のスポークに色分け塗装したり、色分けした装飾品をスポークが取付けることにより、車輪が回転すると、スポークが色鮮やかになり、又、蛍光塗料を使用すると、夜間でもスポークが良く見える。【選択図】図２
0003159752.tif 000002
【実用新案登録請求の範囲】
【請求項１】
自転車のスポーク全数、又は、グループ別に、カラー塗装や、カラー樹脂の取付、カラーテープの取付、カラーチューブの取付、及び、カラー板の取付を行い、これらを、２色以上、色分け加工したスポークを特徴とする、自転車装飾スポーク。
【考案の詳細な説明】
【考案の詳細な説明】
【技術分野】
【０００１】  本考案は、自転車のスポークに色分け塗装したり、色分けした装飾品をスポークが取付けることにより、車輪が回転すると、スポークが色鮮やかになり、又、蛍光塗料を使用すると、夜間でもスポークが良く見える。
【背景技術】
【０００２】  従来は、自転車のスポークに、ニッケルメッキしたり、アルミスポークに於いては、単一の塗装をしたり、装飾品は、スポーク１本に、直径５〜７ｃｍ位の円形の装飾品一個を取付けていた。
【考案が解決しようとする課題】
【０００３】  上記従来技術では、自転車の車輪が、回転しても色が、一色のみであり、装飾効果が少なく、装飾品に於いては、単一であるため、昼夜問わず、色が良く見えなかった。
【０００４】  本考案の目的は、自転車のスポークに色分けしてあるため、自転車の車輪が回転した時、スポークが色鮮やかになり、又、スポークに蛍光塗料を使用すれば、夜間でも車輪が良く見え、自転車の交通事故が、多い現在に於いても、自転車の存在が良く判り、交通事故も未然に防止できる。
【課題を解決ための手段】
【０００５】  上記目的を達成するために、本考案は、自転車のスポーク全数、又はカラー塗装や、カラー樹脂の取付、カラーテープの取付、カラーチューブの取付、及び、カラー板の取付を行い、これらを、２色以上の色分け加工スポークを特徴とする。
【実施例】
【０００６】  以上本考案は、自転車のスポーク全数、又は、グループ別に、カラーと塗装や、カラーテープの取付、カラーチューブ取付、カラー板取付方法があるが、ここでは、一実施例として、カラー樹脂の取付方法を、図１、図２を用いて説明する。【０００７】  ここで図１は、自転車を表わしたものであり、１は、前輪スポーク、２は、後輪スポークを表わし、１及び２は、表面に単一のニッケルメッキのみ施してあり、この部分に、２色以上色分けした本考案品をはめ込む。【０００８】  図１の３は、前輪タイヤ、４は、後輪タイヤを表わし、この部分が地面に接地する。【０００９】  図２は、本考案品を表わしており、５は、自転車のスポークにはめ込む部分を表わし、脱着の時。この部分が伸縮できる様に、材質はプラスチックや、弾力性のある樹脂等が好ましい。【００１０】  図２の６は、本考案品を装着した時、自転車のスポークに接触する部分で、内面を表わし、形状は、円形が好ましく、内径は、２ｍｍ程度が好ましい。【００１１】  図２の７は、本考案品の外側を表わし、この部分に色付けを行うが、色は何色でも、蛍光塗料でも良く、１本を色分け塗装しても、色の異なる数本の考案品を、１本のスポークに取付けてもよく、着色も、材質自体にしても良く、表面塗装でも良い。【００１２】  又、外側の形状は、円形でもよく、角形でもよく、長さも適当に切って使用できる。
【考案の効果】
本考案に於いては、自転車の車輪が回転すると、色分け塗装してある為、色鮮やかになり、蛍光塗料の装飾品を使用すれば、夜間でも光るため、安全性が高く、又、レンタサイクルに於いては、自社カラーを出すこともできる。
【図面の簡単な説明】
【図１】  自転車及び、タイヤ、スポークを表している。
【図２】  本考案品の立面図である。
【符号の説明】１  自転車の前輪スポーク
２  自転車の後輪スポーク
３  自転車の前輪タイヤ
４  自転車の後輪タイヤ
５  考案品の填め込み口
６  考案品の内側
７  考案品の外側
【図１】
0003159752.tif 000003
【図２】
0003159752.tif 000004
(57)【要約】【課題】小開創器のゴム膜に複数設置でき腹腔内から炭酸ガスが漏れるのを防止することができるトロカールスリーブを提供する。【解決手段】小開創器のゴム膜８に小径の穴をあけ、一方より炭酸ガス逆流防止用ゴム製シールバルブ３及びバルブ押さえ４を内設、メスネジ６を備えたプラスチック製の上筒２、他方より手術器具の挿入可能な開口を備えるプラスチック製の下筒８のオスネジ７を、前記小開創器のゴム膜にあけられた小径の穴に通し、対向するプラスチック製の上筒および下筒のネジにより螺合し、ゴム膜を挟みトロカールスリーブとした。上筒には炭酸ガス逆流防止用ゴム製シールバルブの脱落を防ぐキャップ１が備えられている。【選択図】図２
0003159754.tif 000002
【実用新案登録請求の範囲】
【請求項１】
炭酸ガス逆流防止用ゴム製シールバルブ及びバルブ押さえを内設、前記炭酸ガス逆流防止用ゴム製シールバルブの脱落を防ぐキャップが装着され、メスネジを備えたプラスチック製の上筒と、手術器具の挿入可能な開口があるオスネジを備えたプラスチック製の下筒で構成され、一対の対向するプラスチック製の上筒、下筒に備えられたネジにより、小開創器のゴム膜にあけられた小径の穴に通して螺合され、前記小開創器のゴム膜を挟み、前記小開創器のゴム膜に複数設置でき、腹腔内からの炭酸ガス漏れを防ぎ、気腹状態がえられるトロカールスリーブ。
【請求項２】
前記小開創器のゴム膜を挟み、対向する前記プラスチック製の上筒に前記プラスチック製の下筒との接合面に、前記小開創器のゴム膜を圧迫することが容易になり保持力を増大するための座グリを設けた請求項１記載のトロカールスリーブ。
【考案の詳細な説明】
【技術分野】
【０００１】  本考案は気腹式での腹腔鏡下外科手術に用いられるトロカールスリーブに関し、小開創器のゴム膜に複数設置でき腹腔内から炭酸ガスが漏れるのを防止することが可能なトロカールスリーブに関するものである。
【背景技術】
【０００２】  腹腔鏡下外科手術による低侵襲手術が普及し、ゴム膜とプラスチックで構成され、創縁の保護機能も備え、気腹保持用ゴム膜で炭酸ガス漏れ防止機能を備えた小開創器が用いられるようになった。しかし、従来の小開創器のゴム膜には１個のトロカールスリーブしか設置できず、小開創器のゴム膜に設置できる１個のトロカールスリーブ以外に、患者の腹壁に複数のトロカールスリーブを設置しており、患者にトロカールの穿刺による侵襲を伴い、また腹壁にその瘢痕も残ってしまう。
【考案の概要】
【考案が解決しようとする課題】
【０００３】  解決しようとする問題点は、小開創器には気腹下で腹腔鏡処置を行うことができるトロカールスリーブが複数設置できない点である。
【課題を解決するための手段】
【０００４】  本考案は、小開創器のゴム膜に複数の穴をあけ、プラスチック製の上筒および下筒に分割されたトロカールスリーブをネジによる螺合でゴム膜を挟み、複数のトロカールスリーブの設置を可能にすることを最も主要な特徴とする。
【考案の効果】
【０００５】  腹壁に設けた１か所の小切開創に小開創器をとりつけ、そのゴム膜に気腹下で腹腔鏡処置を行うことができる複数のトロカールスリーブを設置し、内視鏡や鉗子等を挿入して行う単孔式腹腔鏡下外科手術を実施することが可能である。【０００６】  また、腹壁へのトロカールスリーブ設置数の減少は、腹腔鏡下外科手術を受ける患者の侵襲を低減させ、トロカール穿刺の瘢痕の減少は、整容性の利点もある。
【考案を実施するための形態】
【０００７】（イ）図２を参照すると、本考案によるトロカールスリーブが組立された状態で図示されている。
（ロ）上筒、下筒の材質は、オートクレーブ滅菌、電子線照射滅菌のため耐熱性、耐薬品性を備えたプラスチックとする。
（ハ）炭酸ガス逆流防止用ゴム製シールバルブの材質は、オートクレーブ滅菌、電子線照射滅菌のためウレタンゴムまたはシリコンゴムとする。
（ニ）上筒の下筒との接合面に設けた座グリには、小開創器のゴム膜を傷つける有害な角部がないように仕上げる。
【実施例】
【０００８】  以下、図２に従って１実施例を説明する。
（イ）上筒２に成形加工された炭酸ガス逆流防止用ゴム製シールバルブ３及びバルブ押さえ４を挿設し、更にキャップ１を装着する。
（ロ）小開創器のゴム膜９に小径の穴をあける。
（ハ）下筒８のオスネジ７を前記小開創器のゴム膜にあけた小径の穴に通す。
（ニ）前記下筒のオスネジに前記上筒に備えたメスネジ６を螺合し、前記小開創器のゴム膜に一対の対向する上筒と下筒を設置する。
【図面の簡単な説明】
【０００９】
【図１】本考案のトロカールスリーブの外観図及び断面図である。
【図２】本考案のトロカールスリーブを小開創器のゴム膜に設置した状態を示した斜視図である。
【符号の説明】
【００１０】１  キャップ
２  上筒
３  炭酸ガス逆流防止用ゴム製シールバルブ
４  バルブ押さえ
５  座グリ
６  メスネジ
７  オスネジ
８  下筒
９  小開創器のゴム膜
【図１】
0003159754.tif 000003
【図２】
0003159754.tif 000004
(57)【要約】      （修正有）【課題】溶接作業時に装着したまま溶接保護面を使用することを可能とする防塵マスクを提供する。【解決手段】溶接保護面の使用のジャマにならないように防塵マスク本体の横から装着者の首の後方まで呼吸管を設け、その先端に交換式防塵フィルターを取付けた構造とする。【選択図】図３
0003159753.tif 000002
【実用新案登録請求の範囲】
【請求項１】
防塵マスク本体から装着者の首の後方まで呼吸管を設け、その先端に交換式防塵フィルターを取付けたことを特徴とする防塵マスク。
【考案の詳細な説明】
【技術分野】
【０００１】  本考案は防塵マスクに関するものである。
【背景技術】
【０００２】  従来からの防塵マスクは粉塵障害防止対策として建設工事や研磨作業、粉物を取り扱う作業等で広く使われてきました。  溶接作業時における溶接者は、常時、遮光ガラスを使用した保護面、又は液晶遮光ガラスを使用した遮光マスク（以下、溶接保護面と称する）を使用します。  しかし、既存の防塵マスクを装着した場合には、呼吸時に出る水蒸気で溶接保護面の遮光ガラスが曇って見えなくなったり、防塵マスクのフィルターが横に付いているタイプは使用時に溶接保護面とフィルターが接触してジャマになり、溶接作業者は使用することができませんでした。
【考案の開示】
【考案が解決しようとする課題】
【０００３】  本考案は溶接作業者が防塵マスクを装着した状態で溶接保護面を使用できることとした。
【課題を解決するための手段】
【０００４】  本考案は上記の課題を解決する為に、防塵マスクを装着したときに、防塵マスクの本体から装着者の首の後方にまで呼吸管を設け、その先端に交換式防塵フィルターを取付ける。その際に、呼吸管は保護面を使用したときにジャマにならないように薄く軽量化する。
【考案の効果】
【０００５】  本考案により溶接作業者が防塵マスクを装着したまま溶接保護面を使用でき遮光ガラスも曇らず粉塵障害防止に寄与できる。
【考案を実施するための最良の形態】
【０００６】  以下本考案の形態を示す図面に基づき説明する。
【図面の簡単な説明】
【０００７】
【図１】に示す如く、防塵マスク本体から左右に呼吸管を有する正面図。
【０００８】
【図２】に示す如く、先端に交換式防塵フィルターが取付けられた呼吸管を有する側面図。
【０００９】
【図３】に示す如く、保護面使用にジャマにならないよう薄く軽量に設けられた呼吸管および交換式防塵フィルターを有する平面図。
【符号の説明】
【０００１０】１        交換式防塵フィルター２        呼吸管３        防塵マスク本体４        マスク密着クッション材５        マスク装着用ゴム（ベルト）
【図１】
0003159753.tif 000003
【図２】
0003159753.tif 000004
【図３】
0003159753.tif 000005
(57)【要約】      （修正有）【課題】取り付けてある部品ボルトやナットを緩めたり増し締めで締めたりする場合、角度を変える事により、障害物を避け、より楽にかつ、安全に作業ができるメガネレンチを提供する。【解決手段】メガネレンチの片方に、中央に穴のあいた棒凸凹板２を設け、凸凹部に重なるように中央に穴のあいた３角凸凹板４を設け、角度を変え、ボルト５とナット６で固定して角度調整器付きメガネレンチを構成する。【選択図】図１
0003159712.tif 000002
【実用新案登録請求の範囲】
【請求項１】
片側ボルトナットを回すためのメガネレンチ（１）に、もう片方は、中央に穴を空けた棒凸凹板（２）を設け、中央に穴をあけた棒凸凹板（２）と重なる部分の反対側に、中央に穴をあけた３角凸凹板（４）を合わせ、中央の穴にボルト（５）を通し、ボルト（５）とナット（６）で締め付ける事により、棒凸凹板（２）とが固定され、さらにボルト（５）とナット（６）を緩め、角度調整器（３）の位置を変える事により、メガネレンチ（１）と、手で握る部分の位置を自由に変える事が出来るメガネレンチ。
【考案の詳細な説明】
【考案の詳細な説明】
【産業上の利用分野】
【０００１】この考案は、メガネレンチに握るハンドル部分の部位に、角度調整器を付けたボルト、ナットを回すための工具に関するものである。
【背景技術】
【０００２】従来、ボルト、ナットを回すのに、角度を変える調整器付きのものはなかった。
【考案が解決しようとする課題】
【０００３】これは次のような欠点があった。
（イ）狭い所に手を入れて、ボルト・ナットを緩める場合、握りの部位を押したり引いたりしようとしても他の部品などが手に触れて、ボルト・ナットを回せなくなる欠点があった。
（ロ）調整は出来ないが、角度の違うメガネレンチの工具を、多く使用して、時間をかけて、ボルト・ナットを外していた。
【課題を解決するための手段】
【０００４】メガネレンチ（１）の片側に、棒凸凹板（２）を設け、力を入れても空回りしない様に棒凸凹板（２）の凹部に低部に三角凸凹板（４）の凸部が入り込む様にし、ボルト（５）、ナット（６）で固定し、ボルトやナットを緩めたりするため力を加えても空回りしない様にする。
さらにボルト（５）、ナット（６）を緩めることにより、１回転出来る様になるために、角度が自由になる。以上のような構成よりなるメガネレンチである。
【作用】
【０００５】ボルト（５）とナット（６）を緩め、部品などに付いている回すボルト・ナットにメガネレンチ（１）を取り付けてから、握りの部位の位置を決め、ボルト（５）、ナット（６）で固定してから、ボルト・ナット類を回すようにすると、楽に回す事が出来る。
【実施例】
【０００６】以下、本案の実施例について説明する。
（イ）メガネレンチ（１）の片側に中央の穴の空いた棒凸凹板（２）を設ける。
（ロ）棒凸凹板（２）の凹のくぼみの低い部分に、中央に穴のあいた三角凸凹板（４）の凸部が収まる様にする。
（ハ）メガネレンチ（１）と握りの部分の角度調整器（３）の角度の位置を決め、ボルトとナットで締め付け固定する。
本考案は以上のような構造で、このメガネレンチ（１）を使用する時は部品などの他の障害物などが、邪摩になり、メガネレンチ（１）に力を加えボルト、ナットなどを回すことが困難な時、棒凸凹板（２）の位置と角度調整器（３）の位置を変化させることにより、簡単にボルト・ナットを援める事が出来、楽にボルト・ナットを外したり、増し締めをする事が出来る。また角度調整器（３）の片方にも大きさの大小の異なるメガネレンチ（１）を同じ構造の中央に穴のあいた棒凸凹板（２）と中央に穴のあいた３角凸凹板（４）を設ける事も出来る。
【考案の効果】
【０００７】緩めたり、締めたりするためのボルト・ナットの位置と、手の入る時の障害物となる部品類を、角度を変える事により自由に緩めたり、締めたり出来るために、きわめて安全である。
【図面の簡単な説明】
【図１】本考案の分解斜視図である。
【図２】本考案の正面図である。
【図３】本考案の分解平面図である。
【図４】本考案の分解底面図である。
【符号の説明】  １  メガネレンチ
２  棒凸凹板
３  角度調整器
４  ３角凸凹板
５  ボルト
６  ナット
【図１】
0003159712.tif 000003
【図２】
0003159712.tif 000004
【図３】
0003159712.tif 000005
【図４】
0003159712.tif 000006
(57)【要約】      （修正有）【課題】名札にマイナスイオン発生機能を追加することにより、着脱の利便性を向上させたマイナスイオン発生機能付名札を提供する。【解決手段】当該名札は、電源となる電池格納部８、クリップ取付部９に取りつけるクリップもしくは、ストラップ取付部２に取りつけるストラップ、上記名札の表面の透明なカバーとなるクリア板３、名札の内容が書かれたカードを挿入するカード挿入口４、挿入されたカードを取り出すことができるクリア板切り込み５、スイッチ、マイナスイオン噴出口１及び発光部により構成する。スイッチをオン状態にすることにより、発光部が発光、起動状態であることを示し、マイナスイオン噴出口１よりマイナスイオンが噴出する。【選択図】図１
0003159731.tif 000002
【実用新案登録請求の範囲】
【請求項１】
マイナスイオン発生機を組み込んだ名札。
【考案の詳細な説明】
【技術分野】
【０００１】
本考案は、マイナスイオン発生機を組み込んだ名札に関するものである。
【背景技術】
【０００２】
マイナスイオンやその発生機は、開発販売が先行し、科学的な研究や効能確認はその後追い状態であるものの、医療現場などを中心にその効能が報告、活用されている。
【０００３】
昨今の技術の進歩により、携帯可能なマイナスイオン発生機が製造できるようになった。
【０００４】
しかし、携帯型のマイナスイオン発生機の効果を得やすくするためには、胸ポケットなど身体の胸部周辺に取り付けた方が良いと考えられるが、医療現場をはじめとする、名札を着用するような労働環境の中での使用の際に、名札と単体の携帯型マイナスイオン発生機を同時に着用した場合、それぞれの着用部が近接し、着用部位周辺が煩雑になる。
【０００５】
そこで、本案では、名札にマイナスイオン発生機能を追加することにより、着用部位周辺の煩雑さを解消する。
【先行技術文献】
【特許文献】
【０００６】
【特許文献１】特開２００７−３３０２９１号公報
【考案の概要】
【考案が解決しようとする課題】
【０００７】
解決しようとする問題点は、名札と携帯型マイナスイオン発生機を同時に使用するときに発生する着用部位周辺の煩雑さである。
【課題を解決するための手段】
【０００８】
本考案は、名札にマイナスイオン発生機能を追加することを最も主要な特徴とする。
【考案の効果】
【０００９】
本考案の名札は、マイナスイオン発生機能を有するため、別途に携帯型のマイナスイオン発生機を用意し着用する必要が無いという利点がある。
【図面の簡単な説明】
【００１０】
【図１】本考案の名札を前方から見た斜視図
【図２】本考案の名札を後方から見た斜視図
【図３】本考案の名札の正面図
【図４】本考案の名札の背面図
【図５】本考案の名札の上方図
【図６】本考案の名札の下方図
【図７】本考案の名札の側面図
【考案を実施するための形態】
【００１１】
マイナスイオン発生機としても機能させるという目的を、名札としての機能を損なわずに実現する。
【実施例１】
【００１２】
図１から図７は、本考案による名札の外観である。
【００１３】
８は電源となる電池の格納部であり、本考案による名札を使用前に用意する。
【００１４】
９に取り付けるクリップ若しくは、２に取り付けるストラップにて着用する。
【００１５】
３は名札表面のカバーであり透明。後述するカード等の内容が見える。
【００１６】
４より名札の内容が書かれたカード等を挿入し表示する事ができる。
【００１７】
５により、挿入されていたカード等を取り出すことができる。
【００１８】
６をオン状態にすることにより、７が発光、起動状態であることを示し、１より、マイナスイオンが噴出する。
【００１９】
６をオフ状態にすることにより、７は消灯し、マイナスイオンの噴出が停止する。
【産業上の利用可能性】
【００２０】
医療や福祉及び食品関連などの衛生や職務に従事する人員の健康が特に重視される分野での効能が期待される。
【符号の説明】
【００２１】
１    マイナスイオン噴出し口
２    ストラップ取付部
３    クリアー板
４    カード挿入口
５    クリアー板切り込み
６    スイッチ
７    発光部
８    電池部
９    クリップ取付部
【図１】
0003159731.tif 000003
【図２】
0003159731.tif 000004
【図３】
0003159731.tif 000005
【図４】
0003159731.tif 000006
【図５】
0003159731.tif 000007
【図６】
0003159731.tif 000008
【図７】
0003159731.tif 000009
(57)【要約】      （修正有）【課題】排水口に詰まった細かいゴミや頭髪等を除去する用具を提供する。【解決手段】手の作業を妨げない手袋を用具の主体とする。素材は衣類の洗濯時に用いるようなネット（目の細かいもの）を使用する。ネットの目は、付着した水分を毛細管現象で分散させるので、濡れた細かいゴミや頭髪を確保しやすく、且つ廃棄しやすいという作業環境を生む。手袋の形容をしている為、別の清掃用具（ブラシなど）との併用がし易く、清掃全体の効率が上がる。【選択図】図１
0003159737.tif 000002
【実用新案登録請求の範囲】
【請求項１】
排水口や水まわりの細かいゴミや頭髪を除去するためのネット手袋。毛細管現象で水分を分散させやすいよう、衣類の洗濯時に用いるようなネット（目の細かいもの）が適している。
【考案の詳細な説明】
【技術分野】
【０００１】
この考案は、排水口に詰まった細かいゴミや頭髪等を除去する用具に関する。
【背景技術】
【０００２】
洗面所、浴室などで排水口にたまる細かいゴミや頭髪は、ブラシやスポンジで清掃した後、最終的には素手で除去する場合が多い。しかし、濡れた状態ではゴミや頭髪が手指にまとわりつき、スムーズに除去作業が進まない。
【先行技術文献】
【特許文献】
【０００３】
【特許文献１】特開2000-041928
【考案の概要】
【考案が解決しようとする課題】
【０００４】
濡れた細かいゴミや頭髪は、手指にまとわりつき易く、且つ離れにくい。
そこで、こういった清掃を容易にするための用具を考案するに至った。
【課題を解決するための手段】
【０００５】
以上の課題を解決するために、第一考案は、排水口や水まわりの細かいゴミや頭髪を除去するための手袋である。また、第二考案は、毛細管現象で水分を分散させやすいように、手袋はネットを素材とする。衣類の洗濯時に用いるようなネット（目の細かいもの）が適している。
【考案の効果】
【０００６】
排水口など、水周りに出る、濡れた細かいゴミや頭髪を的確に確保し、且つ容易に廃棄することができる。
第一考案の効果として、濡れた細かいゴミや頭髪を的確に確保すること。
第二考案の効果として、スムーズに手放せること。
以上の点が要求される。
第一考案のために、用具を手袋状に設定した。細かいゴミや頭髪を除去するには、手指の感覚が生かせる状況が望ましい。
第二考案のために、用具の素材に、布ではなくネット（目の細かいもの）を用いた。この素材が有する毛細管現象によって、確保した頭髪の水分を分散させることが容易になる。結果、つまんだゴミや頭髪が離れやすくなる。
【図面の簡単な説明】
【０００７】
【図１】この考案の実施形態を示す正面図である。
【図２】同じく、実施形態を示す側面図である。
【考案を実施するための形態】
【０００８】
この考案の実施形態を、図に示す。
ネットを人の掌の形に切って縫い合わせ、手袋状にしている。（A）
手首に相当する位置にはタブを付け、使用後にフック等に引っかけて干せるようにしてある。（B）
【０００９】
「実施形態の効果」
手袋の形状により、濡れた細かいゴミや頭髪も容易につかみ取れる。五指が自由に使えるので、除去する量が多くても連続して作業を続けることができる。
ゴミに直接触れることも防げるので、精神的に抵抗の出やすい排水口清掃には適している。
また、つかんだゴミをゴミ箱まで移動させ、その上で指を擦り合わせるだけで、水分が毛細管現象で分散し、ゴミが乾燥して落ちるので、廃棄も容易である。
従来の清掃用具、ブラシやスポンジなどでは、ゴミの取り漏らしが生じ易く、更に頭髪の場合は、用具に付着したものを素手で取り払う必要が生じ、その際に手指にまとわりつくという不快さが伴った。
この考案に類似した特許に、切り込みを入れたスポンジというのがあった（特開2000-041928）。スポンジに格子状に切り込みをいれると、ゴミを確保しやすいという説明であった。これを自作してみたが、確かにゴミの確保率は良いが、取り漏らしが多少出る。それに、スポンジの切れ込みに詰まったゴミは結局手指で除去するしかなく（流水で流してしまっては排水口掃除にならない）、濡れた頭髪の処理に煩わされた。しかし除去しなければスポンジにゴミを挟みっぱなしになってしまうので、用具そのものを清浄にしなければ次回の使用に支障が出る。
しかし、ネット手袋であれば、その煩わしさを解消できる。
このネット手袋は元来が洗濯に適した素材であるため、手洗いや洗濯機で容易に清浄化できるので、連続使用しても衛生性が維持できる。
「他の実施形態」
この考案は、清掃作業のスピードアップ効果に優れている。手袋なので、別の清掃用具を持ちながらの作業も可能。持ち替えの手間が省ける。
それに、ネット手袋自体も洗濯できてしまうので、用具の清浄化も容易である。
手袋のサイズは、一般成人の手よりやや大きくした方が良い。薄手のゴム手袋などをしてからネット手袋をはめれば、より衛生的な作業が可能になる。宿泊施設や医療施設で使用する場合などに便利である。
また、応用の範囲は広い。
両手にはめたり、密着性の高いゴム手袋をした上でネット手袋をはめれば、汚物が散乱するような衛生状態の悪い場所でもスムーズに作業ができる。
二重に重ねて装着すれば、手指の感覚はやや落ちるが、水気が強い環境でも作業ができる。
更に、生産コストも安いので、使い捨て使用にも応えることができる。
【符号の説明】
【００１０】
A  ネット手袋本体            B  タブ
【図１】
0003159737.tif 000003
【図２】
0003159737.tif 000004
【手続補正書】
【提出日】平成22年3月21日(2010.3.21)
【手続補正１】
【補正対象書類名】実用新案登録請求の範囲
【補正対象項目名】全文
【補正方法】変更
【補正の内容】
【実用新案登録請求の範囲】
【請求項１】
目の細かいネットを素材とした、手袋の形状を有する、ネット手袋
(57)【要約】      （修正有）【課題】洗濯物が、物干し竿に、掛けやすい位置から、天上近くまで簡単に揚げられる構造で  洗濯物が低すぎたり、柱があつたりして、床のスペースが損なわれない物干し竿取り付け器を提供する。【解決手段】長押しの上に６の支点シャフトの付いた架台を乗せて、２のアームと接続し、２のアームと３  ４の洗濯竿を連結し１０の竿上下レバーで、３  ４の竿を天上近くまで持ち上げたり、下降したり出来る様にした。【選択図】図１
0003159380.tif 000002
【実用新案登録請求の範囲】
【請求項１】
長押の上から支点シャフトの付いた架台を被せ、長押と架台を木ネジで固定し支点シャフトとアームを連結して、アームの先端と、物干し竿を連結し、竿上下用レバーで、物干し竿をアームを回転させて天上近くまで、上下させ、適当な位置に物干し竿をとめられるストツパーを設けた、和室用物干し竿取り付け器。
【考案の詳細な説明】
【技実分野】
【０００１】本発明は、雨天や曇天、降雪時等は屋外に洗濯物を干せないため、屋内に干すとき物干し竿の構造について、効率よく、経済的に干せる様にした物である。
【背景技実】
【０００２】従来は、物干し竿を干しやすい高さから、天上近くまで簡単に上下できる構造の物干し器がなかつた。
【考案の概要】
【考案が解決しようとする課題】
【０００３】室内に洗濯物を干すとき、今まではロウプを張つたり、柱に竿を渡したりした物が殆どで、竿の位置が低いので、部屋のスペースがなくなつたり、温度が低い為長時間干さなければ、干しあがらなかつたりしていた。
本発明は、この課題を、解消するためになされた物である。
【課題を解消する為の手段】
【０００５】和室の窓上にある長押しの上に支点シャフトの付いた架台を乗せ、そのシャフトにレバーを付け、レバーの先端に物干し竿を差し込んで、レバーを回転することにより、物干し竿を天上近くまで上げて干せるように様々な機構をくみあわせて可能にした物干し竿である。
【発明の効果】
室内の天上近くで干すので、熱効率が良く短時間で乾燥出来る。したがつて日に何回も干すことが出来、多人数の家族でも充分活用が可能である。
一般に室内の物干しは、暖房機やエヤコンをよく使用している部屋に取り付けなければ効果は薄く、極寒の地では乾燥する前に凍り付いたり、なかなか乾燥しなかったりして、その効果はあまり期待出来ない。したがつて、い間や茶の間で使用したいが、現状の物干し竿では干し物の下は空きがなく、支柱が邪魔になつて、部屋のスペースが減少して不便であつたが、此の物干し器は、干し物が天上近くまで上がるので、干し物の下でも充分、い間として活用出来る利点がある。また、乾燥機を使用しないときは、乾燥機の電力の節約が出来、加湿器も不用であり、竿が上下するので子供や老人でも楽に、洗濯物の取り扱いが可能となる。
【図面の簡単な説明】
【図１】和室用室内取り付け器の全体図である。
【図２】図１図のイ部の拡大図である。
【符号の説明】  １  架台    壁上方にある長押しの上にかぶせた架台である。
２  アーム    架台に取り付けた６の支点ピンに差し込んであるアームである。
３  小径竿    ２アームの先端にさしこんで１１の割ピンで固定する。
４  大径竿    ２の小径竿を差し込んで、所要の長さを調整する。
５  セットカラー    小径竿と大径竿の調整完了したところで両者を固定する。
６  支点シャフト    １の架台と２ノアームを接続する。
７  上限ストツパー    アームが６の支点シャフトの垂直位置より、静止しても逆戻りしない位置で止まる位置につける。
８  下限ストツパー    ２のアームが干し物が掛けやすい位置で止まるような位置に取り付ける。
９  固定ネジ    長押しと１の架台とを固定させるための木ネジである。
１０  竿上下用レバー    ３の小径竿と大径竿を２のアームを介して上下させるレバーである。
１１  ワリピン    竿の両端が２のアームから、抜けない為のピンである。
【図１】
0003159380.tif 000003
【図２】
0003159380.tif 000004
(57)【要約】      （修正有） 【課題】針の紛失が無く針の本数の確認が容易であり、手を針で刺すことも無く安全であり、又物差（さし）の機能も備えているので作業がし易い裁縫用具を提供する。【解決手段】まち針、裁縫針等が磁石にくっつく性質を利用し、裁縫用具の中央部に磁石を設け、これにまち針、裁縫針等をくっつけて使用・管理し、また裁縫用具の底部前面には物差（さし）の機能も付けてあるので早く作業が出来る裁縫用具を提供でき、さらに裁縫用具の底部にも磁石を設け裁縫用具の移動を防止し使用し易い。【選択図】図４
0003159355.tif 000002
【実用新案登録請求の範囲】
【請求項１】
磁石が磁性金属にくっつく性質をいかして、裁縫用具の底部に裁縫用具を固定する磁石、中央部に裁縫針を固定する磁石を備えたことを特徴とする裁縫用具。
【請求項２】
裁縫用具には、底部前面に目盛りをつけて、物差（さし）の役目をはたす機能を設けたことを特徴とする請求項１記載の裁縫用具。
【考案の詳細な説明】
【技術分野】
【０００１】
本考案は、裁縫針等の使用時における裁縫用具に関するものである。 
【背景技術】
【０００２】
これまでの裁縫用具はフェルトの針山に針を刺して使用していた。
【先行技術文献】
【特許文献】
【０００３】
【特許文献１】実開平７−２１７２６
【特許文献２】登実第３０７５２５１号
【考案の概要】
【考案が解決しようとする課題】
【０００４】
これまでの裁縫用具では裁縫時における針の管理（紛失）が起こり問題となっていた。
【課題を解決するための手段】
【０００５】
本考案は針が磁石にくっつく性質を利用し、針の紛失問題を解決するものである。
【考案の効果】
【０００６】
磁石に針がくっつくため、針の紛失が無く針の本数の確認が容易であり、目で見て針を磁石にくっつけるので手を針で刺すことも無く安全であり又物差（さし）の機能も備えているので作業がし易い。                                               
【図面の簡単な説明】
【０００７】
裁縫用具は、底面部には、吸盤用の磁石を設けてあり、針をくっつけて使用するための磁石を真ん中に設けてある、前面の下の部分には、物差(さし)として利用するため目盛りをつけてある。
【図１】裁縫用具の平面図
【図２】裁縫用具の前面図
【図３】裁縫用具の側面図
【図４】本考案による裁縫用具の使用時における一例を示す実施例
【符号の説明】
【０００８】
Ａ       裁縫用具  
Ａ１     目盛り部分（物差として使用）
Ａ２     吸盤用の磁石
Ａ３     まち針等用の磁石
Ａ４     １から１０まで数字を書いた部分を設けてある
Ｂ       カバー用に設けた部分
Ｃ       持ち手部分
Ｄ       まち針
Ｅ       裁縫針
【考案を実施するための形態】
【０００９】
裁縫用具の材質は、プラスチック、木、アクリル、金属及び硬質、軟質のゴム等でもよく底面部に吸盤用の磁石（Ａ２）、高さ方向の中央部に平面の磁石（Ａ３）に針等くっけて置き,針の頭部は磁石より少し離しはずしやすくする為に図４参照（Ａ４）の部分設け数字が書いてあり、針先の方には、安全のため少し上部に空間を空けてカバー部分（Ｂ）を設けまたその上部に持ち手部分（C）を設けてあり前面下部には、目盛り（Ａ１）をつけて物差（さし）として利用できるようにしてある。
【実施例】
【００１０】
裁縫の時布類など例えばズボンの裾直しなどに、しつけをする時最初に磁石の部分にまち針、裁縫針等くっつけて出しておく使う時はそれをとって、使わなくなった時はこの裁縫用具に戻す終われば磁石にくっつけてある針等目で見て確認出来る。図４は磁石にまち針、裁縫針等くっつけてある状態。
【産業上の利用可能性】
【００１１】
一般家庭ではコンパクトで机上で裁縫が簡単に出来る又ミシンで作業している人達は、吸盤用の磁石で固定しているので時間が短縮出来るし和装仕立をしている人達は、従来の針山に針をさす時手を怪我する事がなくなり安全である。
【００１２】
教育現場では、子供達特に小学校での指導がし易い例えばメモリの上に１０本最初にまち針、裁縫針を並べておいて使用する後で１０本そろっていれば目で確認が出来紛失してない事が判る。
【図１】
0003159355.tif 000003
【図２】
0003159355.tif 000004
【図３】
0003159355.tif 000005
【図４】
0003159355.tif 000006
【手続補正書】
【提出日】平成22年3月5日(2010.3.5)
【手続補正１】
【補正対象書類名】実用新案登録請求の範囲
【補正対象項目名】請求項２
【補正方法】変更
【補正の内容】
【請求項２】
裁縫用具には、底部前面に目盛りをつけて、物差の役目をはたす機能を設けたことを特徴とする請求項１記載の裁縫用具。
(57)【要約】      （修正有）【課題】携帯電話機本体に着脱自在に取り付けられる化粧用品収納具を提供する。【解決手段】携帯電話器本体の背面あるいは側面に、着脱自在に取り付けるべく化粧用品を収納してなる収納具に固定部を設けてなることを特徴とする。【選択図】図４
0003159356.tif 000002
【実用新案登録請求の範囲】
【請求項１】
携帯電話器本体の背面あるいは側面に、着脱自在に取り付けるべく化粧用品を収納してなる収納具に固定部を設けてなることを特徴とする化粧用品収納具。
【請求項２】
固定部が、凹凸テープであることを特徴とする請求項１記載の化粧用品収納具。
【請求項３】
固定部が、粘着体であることを特徴とする請求項１の化粧用品収納具。
【考案の詳細な説明】
【技術分野】
【０００１】  本考案は、携帯電話器本体に、着脱自在に取り付ける化粧用品収納具に関するものである。
【背景技術】
【０００２】  従来の技術としては、携帯電話機本体もしくは携帯電話機本体に添設した部材に化粧料収納場所を設けたことを特徴とする携帯電話機がある。（特許文献１参照）
【先行技術文献】
【特許文献】
【０００３】
【特許文献１】  特願２００２−７３２４７号公報
【考案の概要】
【考案が解決しようとする課題】
【０００４】  上記従来例は携帯電話機で、携帯電話機本体に一体に設けるか。あるいは、添設した部材に設けるものであり、一般に市場に出回っている携帯電話機本体に着脱自在に取り付けられるものではない。【０００５】  本考案は、一般に市場に出回っている携帯電話器本体の背面に着脱自在に取り付けられ、必要に応じて取り替えができるもので、複数パターンの化粧用品収納具を用意して使用できるものである。
【課題を解決するための手段】
【０００６】本考案は、上記目的を達成するため、携帯電話器本体の背面あるいは側面に、着脱自在に取り付けるべく化粧用品を収納してなる収納具に固定部を設けてなること。また、固定部が、凹凸テープであること。さらに、粘着体であることを特徴とする。
【考案の効果】
【０００７】１）、化粧用品を収納する収納具を固定部にて、携帯電話器本体に着脱自在に取り付けることにより、色々なパターンの収納具を必要に応じて取り替えができる。
２）、固定部が、凹凸テープあるいは粘着体とすることにより、確実に着脱自在に取り付けることができる。
【図面の簡単な説明】
【０００８】
【図１】  本考案の第一実施例を示す化粧用品収納具の斜視図。
【図２】  本考案の第一実施例を示す化粧用品収納具の開放した斜視図。
【図３】  本考案の第一実施例を示す化粧用品収納具を携帯電話器本体に取り付けた状態斜視図。
【図４】  本考案の第一実施例を示す化粧用品収納具を携帯電話器本体に取り付け開放した状態斜視図。
【図５】  本考案の第二実施例を示す化粧用品収納具を開放した斜視図。
【考案の実施するための形態】
【０００９】化粧用品収納具１は、携帯電話器本体の背面に、化粧用品Ｋを収納してなる収納具２を着脱自在に取り付けるべく上面に固定部３を設けてなるものである。
上記収納具２は、出し入れ自在な引出部２ａを設け、内部に例えば口紅や口紅筆等の化粧用品Ｋを入れてなる。
上記固定部３は、凹凸テープによるもので、簡単に着脱自在に取り付けることができる。
【００１０】  上記化粧用品収納具１の使用例について説明する。
化粧用品収納具１を、固定部３にて携帯電話器本体ＫＨの背面Ｈに取り付けるもので、必要時に、収納具２の引出部２ａを手前に引き出し、化粧用品Ｋを使用するものである。
【００１１】  次ぎに、第二実施例の化粧用品収納具について説明する。
化粧用品収納具２１は、例えば頬紅やブラシ等の化粧用品Ｋ１を収納してなる引出部２２ａを出し入れ自在に設けてなる収納具２２の上面に無機質シリコンによる粘着体の固定部２３を設けてなる。
【００１２】  この化粧用品収納具２１も、上記化粧用品収納具１と同様な使用方法である。
なお、引出部の形態や固定部の材質等は、必要に応じて決めればよい。
また、化粧用品も、必要に応じて決めればよい。
さらに、化粧用品収納具は、携帯電話器本体の側面に着脱自在に取り付けるのも一考である。
【符号の説明】
【００１３】  １−−−化粧用品収納具
２−−−収納具
３−−−固定部
Ｋ−−−化粧品
ＫＨ−−携帯電話器本体
Ｈ−−−背面
【図１】
0003159356.tif 000003
【図２】
0003159356.tif 000004
【図３】
0003159356.tif 000005
【図４】
0003159356.tif 000006
【図５】
0003159356.tif 000007
(57)【要約】【課題】卓上で揺らすとレンチキュラーカードの絵の変化が安定して見ることができ、レンチキュラーカードを身近で楽しむことのできる揺れる卓上レンチキュラーカードフレームを提供する。【解決手段】レンチキュラーカードの取付け部を設け、底面が弓形の形状をした揺れるフレームを設け、卓上に置いて揺らしてレンチキュラーカードの絵の変化を安定して見ることを特徴とする揺れる卓上レンチキュラーカードフレーム。【選択図】図１
0003159334.tif 000002
【実用新案登録請求の範囲】
【請求項１】
レンチキュラーカードの取付け部を設け、底面が弓形の形状をした揺れるフレームを設け、卓上に置いて揺らしてレンチキュラーカードの絵の変化を安定して見ることを特徴とする揺れる卓上レンチキュラーカードフレーム。
【請求項２】
フレームに小物入れ用引出しと貯金箱用のコインの入口を設けたことを特徴とする請求項１の揺れる卓上レンチキュラーカードフレーム。
【考案の詳細な説明】
【技術分野】
【０００１】  本考案は、卓上で揺らすとレンチキュラーカードの絵の変化を安定して見ることができレンチキュラーカードを身近で楽しむことのできる揺れる卓上レンチキュラーカードフレームに関するものである。
【背景技術】
【０００２】  従来、レンチキュラーカードの絵の変化を見るには、レンチキュラーカードを見る角度を変える必要があるために、人がゆっくりとレンチキュラーカードを動かしたり、人がゆっくりと動いてレンチキュラーカードの絵の変化を見ていた。
【考案の開示】
【考案が解決しようとする課題】
【０００３】  そのために、次のような問題点があった。
（イ）レンチキュラーカードを置いたままで絵の変化を安定して楽しむことが困難であった。
本考案は以上の問題点を解決しようとするものである。
【課題を解決するための手段】
【０００４】  レンチキュラーカードの取付け部を設ける。底面が弓形の形状をした揺れるフレームを設ける。卓上に置いて揺らしてレンチキュラーカードの絵の変化を安定して見ることを特徴とする揺れる卓上レンチキュラーカードフレームである。
【考案の効果】
【０００５】  本考案は、卓上で揺らすとレンチキュラーカードの絵の変化を安定して見ることができるので、レンチキュラーカードを身近で楽しむことができる。
【考案を実施するための最良の形態】
【０００６】  以下、本考案の実施の形態を説明する。
（イ）レンチキュラーカード（１）の取付けにレンチキュラーカード取付け板（２）を設ける。
（ロ）底面が弓形の形状をした弓形底面フレーム（３）を設ける。
本考案は、以上の構成よりなっている。
本考案を使用するときは、上記の揺れる卓上レンチキュラーカードフレームを卓上で揺らしてレンチキュラーカード（１）の絵の変化を楽しむ。【０００７】  また図２と図３に示すように、フレームに小物入れ用引出し（４）と貯金箱用のコイン入口（５）を設け、小物の出し入れをしたりコインを入れたりすることにより揺らされてレンチキュラーカード（１）の絵の変化を楽しむ機会を増やすことができる。
【図面の簡単な説明】
【０００８】
【図１】本考案の斜視図
【図２】本考案の他の実施例を示す斜視図
【図３】本考案の他の実施例を示す分解斜視図
【符号の説明】
【０００９】      １  レンチキュラーカード
２  レンチキュラーカード取付け板
３  弓形底面フレーム
４  小物入れ用引出し
５  貯金箱用のコイン入口
【図１】
0003159334.tif 000003
【図２】
0003159334.tif 000004
【図３】
0003159334.tif 000005
(57)【要約】      （修正有）【課題】使用後のスプーンの置き場所に困らず、他も汚さずにカップ内に容易に収められ抜き差し出来るクリップ機能を備えたスプーンを提供する。【解決手段】余り力をかけずに容易に抜き差し出来るクリップ機能を持たせる為には、その素材自身の特性としての弾性と、柄部全体での形状の復元力を利用したしなやかなバネ形状の両方を形成することにより実現させる。またその挿入部の形状は、反り返り・甲丸状にすることにより、抵抗が少ない様に工夫するものとする。このスプーンをカップに挟んだ状態でも最後まで飲み干し易い様に、カップからの突出部分はあまり高くなく丸みを帯びた形状とする。また洗浄を容易にする為に、その形状はシンプルで且つ柔軟である弾性素材であることが求められ、当然、口に入る物なのでその腐食性はない素材を使用する。【選択図】図３
0003159337.tif 000002
【実用新案登録請求の範囲】
【請求項１】
柔軟な特性を持った弾性素材を使用し、且つシンプルな一体形のバネ形状を形成することにより、カップ等の食器の一辺に容易に挟み又抜き差し可能としたクリップ機能を付加したスプーン
【考案の詳細な説明】
【技術分野】
【０００１】本考案は、柔軟な特性を持った弾性素材を使用し、且つシンプルな一体形のバネ形状を形成することにより、カップ等の食器の一辺に容易に挟み又抜き差し可能としたクリップ機能を付加したスプーンに関する。
【背景技術】
【０００２】現在市販品のスプーンの殆どはその素材にステンレスやアルミ等の比較的硬質の素材が用いられ、その形状は固定であり、大量生産によりその価格は安価なものが多くある。【０００３】一方、高価ではあるがＮｉＴｉ合金やチタン合金など超弾性素材が数多く開発され、他の商材としては既に利用されている。
【先行技術文献】
【特許文献】
【０００４】カップや皿などの縁の外側にリング状の部品で挟んで保持出来るフォークやスプーンがあるが、使用するまでは確かに清潔に挟持されているが、その使用後に挟持するとそれに付いた残液などが滴り落ち、その下のテーブル等が汚れるという弊害の発生も容易に想像出来る。またその作りが２つの部品の合体で形成され、そのいびつさ故に隙間等の洗浄の難しさから、その実用性は低いと考えざるを得ない。（特許文献１）【０００５】テコの原理を利用したクリップ付きスプーンというものがあるが、これもテコの支点となる円筒状のクリップ部分の洗浄が容易ではなく実用性に欠ける。
またテコを使って掻き混ぜる際に、力加減によってはスプーンが跳ね上がり中身の液体などを飛散させる危険が生じます。さらにカップや皿などの縁の厚みの違いやその切れ上った形状などに追従できず挟めない可能性が高いと思われます。（特許文献２）【０００６】別途にカップに針金状のクリップを設置しておくスプーンホルダーというものがありますが、通常スプーンはコップに対してかなり突出しますので、これにスプーンを固定し飲み干す動作をするとスプーンの柄が目に刺さる危険を伴います。
またその抜き差しの手間も容易ではないように想像されます。（特許文献３）
【特許文献１】公開特許公報２００９−６６３６３
【特許文献２】実用新案登録３１１２６９４
【特許文献３】実用新案登録３１１５４６０
【考案が解決しようとする課題】
【０００７】本考案は、スプーンの使用後も他を汚さずに容易にカップ内に収められるクリップ機能を備えつつ、それをカップ等に挟んだ状態でもカップ内の液体を飲み干す動作に支障があっては問題があると考えます。
【０００８】また、使用後のスプーン自身の洗浄を容易にする為には、よりシンプルで柔軟な形状を追求する必要があります。清潔維持が容易でなければ、その実用性に問題があると考えます。
【課題を解決するための手段】
【０００９】余り力をかけずに容易に抜き差し出来るクリップ機能を持たせる為には、その素材の特性としての弾性と、柄部全体での形状の復元力を利用したしなやかなバネ形状の両方を形成することにより実現させることが可能となります。また、その挿入部の形状は反り返りや甲丸状にすることにより抵抗が少ない様に工夫する。
【００１０】スプーンをカップに挟んだ状態でも最後まで飲み干し易いように、カップからの突出部分はあまり高くなく丸みを帯びた形状にする必要があります。
【００１１】洗浄を容易にする為に、その形状はシンプルで且つ柔軟な弾性素材である必要があります。
【００１２】当然口に入る物なのでその腐食性はない素材を使用する。
【考案の効果】
【００１３】本考案により、ココアなどの飲み物を掻き混ぜた後の濡れたスプーンの置き場に困らずに済み、また繰り返し掻き混ぜることも容易に出来る様になります。
【００１４】スプーンに対し深く大きな器の場合には、スプーンが沈んでしまったり、浮かべても邪魔になりますが、縁の一辺に固定することによりそれらが解消されます。
【００１５】スプーンの受け皿が必要なくなり、割れもの・洗い物が１つ減り、さらにコップの上げ下げや持ち運びが安全に素早く出来て一連の動作の効率が上がります。
【図面の簡単な説明】
【図１】本考案によるクリップ機能付きティースプーンを示した全体図である。
【図２】本考案によるクリップ機能付きレンゲ状スプーンを示した全体図である。
【図３】本考案によるティースプーンをカップに挟んだ状態の側面図である。
【実施例】
【００１６】〔実施例１〕ティーカップに全長６ｃｍ（挟持部２．５ｃｍ）ほどのチタン合金で出来たクリップ機能付きティースプーンを挟んで砂糖とミルクを撹拌するのに使用してみる。【００１７】〔実施例２〕ラーメンの丼に全長１０ｃｍ（挟時部４ｃｍ）ほどの形状記憶合金で出来たクリップ機能付きのレンゲ状スプーンを挟んでそのスープを飲むのに使用してみる。
【産業上の利用可能性】
【００１８】本考案は喫茶店などでのコーヒー等の飲料物のオーダーの際、その撹拌用にカップに直に挟み添えて提供することにより、前述の通りこの考案の効果が発揮されます。【００１９】本考案は中華料理店などでのラーメン等のスープ物のオーダーの際、その飲食用に丼容器に直に挟み添えて提供することにより、前述の通りこの考案の効果が発揮されます。
【符号の説明】
【００２０】  １  弾性素材によるクリップ機能部
２  反り返り・甲丸状の挿入部
３  カップ
４  カップ取っ手部
【図１】
0003159337.tif 000003
【図２】
0003159337.tif 000004
【図３】
0003159337.tif 000005
【手続補正書】
【提出日】平成22年2月10日(2010.2.10)
【手続補正１】
【補正対象書類名】図面
【補正対象項目名】全図
【補正方法】変更
【補正の内容】
【図１】
0003159337.tif 000006
【図２】
0003159337.tif 000007
【図３】
0003159337.tif 000008